(57)【特許請求の範囲】
【請求項１】
上位装置に接続され、非接触通信媒体と通信を行なうリーダライタにおいて、
前記上位装置との接続、非接続を切換える切換手段と、
この切換手段により非接続に切換えられた際、前記非接触通信媒体に対して所定のコマンドを送信する着脱自在に設けられた送信アンテナを有する送信手段と、
この送信手段により送信されたコマンドに対する前記非接触通信媒体からの応答を受信する着脱自在に設けられた受信アンテナを有する受信手段と、
この受信手段により前記非接触通信媒体からの応答を受信した際、その応答が正常な応答であるかを判断する判断手段と、
この判断手段により正常と判断された際、正常な通信を行なった旨を報知する報知手段と、
前記送信手段の送信アンテナ側に設けられ、かつ、前記送信手段の送信アンテナに接続され、当該送信アンテナに接近する金属を検知する金属検知手段と、
前記リーダライタ側に設けられ、前記非接触通信媒体からの応答を受信していないとき、前記受信手段により送信された信号に基づき前記非接触通信媒体からの応答信号以外のノイズを検知するノイズ検知手段とを具備し、
前記送信手段は、前記リーダライタ側に設けられ、前記非接触通信媒体へ送信する信号に対し前記送信アンテナのアンテナ特性等に直接関係しない信号変換処理を行なう第１の送信手段と、前記送信アンテナ側に設けられ、前記第１の送信手段から出力される信号に対し前記送信アンテナのアンテナ特性等に関連する信号変換処理を行ない、前記送信アンテナへ送る第２の送信手段とから構成され、
前記受信手段は、前記受信アンテナ側に設けられ、前記受信アンテナにより受信された前記非接触通信媒体からの信号に対し前記送信アンテナのアンテナ特性等に関連する信号変換処理を行なう第１の受信手段と、前記リーダライタ側に設けられ、前記第１の受信手段から出力される受信された信号に対し前記送信アンテナのアンテナ特性等に直接関係しない信号変換処理を行なう第２の受信手段とから構成されたことを特徴とするリーダライタ。
【請求項２】
上位装置に接続され、複数の非接触通信媒体と通信を行なうリーダライタにおいて、
前記上位装置との接続、非接続を切換える切換手段と、
この切換手段により非接続に切換えられた際、前記複数の非接触通信媒体に対して所定のコマンドを送信する着脱自在に設けられた送信アンテナを有する送信手段と、
この送信手段により送信されたコマンドに対する前記複数の非接触通信媒体からの応答を受信する着脱自在に設けられた受信アンテナを有する受信手段と、
この受信手段により前記複数の非接触通信媒体からの応答を受信した際、その応答数を計数する計数手段と、
この計数手段で計数された応答数を報知する報知手段と、
前記送信手段の送信アンテナ側に設けられ、かつ、前記送信手段の送信アンテナに接続され、当該通信用アンテナに接近する金属を検知する金属検知手段と、
前記リーダライタ側に設けられ、前記非接触通信媒体からの応答を受信していないとき、前記受信手段により送信された信号に基づき前記非接触通信媒体からの応答信号以外の信号のノイズを検知するノイズ検知手段とを具備し、
前記送信手段は、前記リーダライタ側に設けられ、前記非接触通信媒体へ送信する信号に対し前記送信アンテナのアンテナ特性等に直接関係しない信号変換処理を行なう第１の送信手段と、前記送信アンテナ側に設けられ、前記第１の送信手段から出力される信号に対し前記送信アンテナのアンテナ特性等に関連する信号変換処理を行ない、前記送信アンテナへ送る第２の送信手段とから構成され、
前記受信手段は、前記受信アンテナ側に設けられ、前記受信アンテナにより受信された前記非接触通信媒体からの信号に対し前記送信アンテナのアンテナ特性等に関連する信号変換処理を行なう第１の受信手段と、前記リーダライタ側に設けられ、前記第１の受信手段から出力される受信された信号に対し前記送信アンテナのアンテナ特性等に直接関係しない信号変換処理を行なう第２の受信手段とから構成されたことを特徴とするリーダライタ。
【発明の詳細な説明】
【０００１】
【発明の属する技術分野】
この発明は、上位装置に接続されて非接触通信媒体と通信するリーダライタに関する。
【０００２】
【従来の技術】
一般に、非接触通信媒体を利用したリーダライタとして、入退ゲート、非接触通信媒体をタグとして利用した物流管理等種々の分野に適用したものが知られている。また、最近のリーダライタは、１枚の非接触通信媒体と通信するシングルモードと、複数枚の非接触通信媒体と同時に通信するマルチモードの機能を備えている。
【０００３】
この種のリーダライタは、上位装置（パーソナルコンピュータ等）もしくはアダプタ等を接続することにより、リーダライタと非接触通信媒体問の通信確認を行っている。
【０００４】
また、従来のリーダライタは、アンテナの種類に応じてリーダライタの回路を変更する。そして、非接触通信媒体を利用したリーダライタは、周囲の環境による影響を受けやすいが、リーダライタ本体やアンテナの設置位置や向き等によりノイズの低減が図れる。但し、メータにより測定できる端子等が無く、最適な環境を見つけることは出来ない。また、金属などがアンテナに接近した場合、通信距離が劣化する。
【０００５】
また、上位装置とのインターフェイスはＲＳ−２３２Ｃであり、１台の上位装置に対して１台のリーダライタを接続することにより、非接触通信媒体との通信を行っている。シーケンサ等外部からの制御信号により、ある一定期間非接触通信媒体との通信を行う機能はない。
【０００６】
上述したように、この種のリーダライタは、上位装置もしくはアダプタ等を接続することにより、リーダライタと非接触通信媒体間の通信確認を行うため、リーダライタ単独での動作確認ができない。そのため、不具合が起きた場合、上位装置が原因なのかリーダライタが原因なのかが明確にならない。
【０００７】
また、アンテナの種類に応じて変更する回路がリーダライタに含まれているため、アンテナが変わるとリーダライタの回路変更が発生する。
【０００８】
ノイズ検知や金属接近検知などの周囲環境を検知する機能がないため、最適な使用環境が明確にならず、悪環境の中で非接触通信媒体と通信を行うことがあり、本来の性能を発揮できない。
【０００９】
上位装置とのインターフェイスがＲＳ−２３２Ｃ等の１：１の接続なため、上位装置１台に対して、複数台のリーダライタの接続が出来ない。
【００１０】
シーケンサ等外部からの制御信号により、ある一定期間非接触通信媒体との通信を行う機能がないため、例えば、異常な非接触通信媒体の認識が難しい。
【００１１】
【発明が解決しようとする課題】
上記したように、この種のリーダライタは、リーダライタ単独での動作確認ができないので不具合が起きた場合、上位装置が原因なのかリーダライタが原因なのかが明確にならなず、また、アンテナが変わるとリーダライタの回路変更が発生し、ノイズ検知や金属接近検知などの周囲環境を検知する機能がないため最適な使用環境が明確にならず、さらに、上位装置１台に対して複数台のリーダライタの接続が出来ず、シーケンサ等外部からの制御信号により、ある一定期間非接触通信媒体との通信を行う機能がなく異常な非接触通信媒体の認識が難しいという問題があった。
【００１２】
そこで、この発明は、不具合の生じた場合の原因を明確にでき、アンテナによる回路変更を回避し、最適な使用環境を明確にし、さらに上位装置１台に対して複数台のリーダライタとの接続を可能とし、異常な非接触通信媒体の認識を可能としたリーダライタを提供することを目的とする。
【００１３】
【課題を解決するための手段】
この発明のリーダライタは、上位装置に接続され、非接触通信媒体と通信を行なうリーダライタにおいて、前記上位装置との接続、非接続を切換える切換手段と、この切換手段により非接続に切換えられた際、前記非接触通信媒体に対して所定のコマンドを送信する着脱自在に設けられた送信アンテナを有する送信手段と、この送信手段により送信されたコマンドに対する前記非接触通信媒体からの応答を受信する着脱自在に設けられた受信アンテナを有する受信手段と、この受信手段により前記非接触通信媒体からの応答を受信した際、その応答が正常な応答であるかを判断する判断手段と、この判断手段により正常と判断された際、正常な通信を行なった旨を報知する報知手段と、前記送信手段の送信アンテナ側に設けられ、かつ、前記送信手段の送信アンテナに接続され、当該送信アンテナに接近する金属を検知する金属検知手段と、前記リーダライタ側に設けられ、前記非接触通信媒体からの応答を受信していないとき、前記受信手段により送信された信号に基づき前記非接触通信媒体からの応答信号以外のノイズを検知するノイズ検知手段とを具備し、前記送信手段は、前記リーダライタ側に設けられ、前記非接触通信媒体へ送信する信号に対し前記送信アンテナのアンテナ特性等に直接関係しない信号変換処理を行なう第１の送信手段と、前記送信アンテナ側に設けられ、前記第１の送信手段から出力される信号に対し前記送信アンテナのアンテナ特性等に関連する信号変換処理を行ない、前記送信アンテナへ送る第２の送信手段とから構成され、前記受信手段は、前記受信アンテナ側に設けられ、前記受信アンテナにより受信された前記非接触通信媒体からの信号に対し前記送信アンテナのアンテナ特性等に関連する信号変換処理を行なう第１の受信手段と、前記リーダライタ側に設けられ、前記第１の受信手段から出力される受信された信号に対し前記送信アンテナのアンテナ特性等に直接関係しない信号変換処理を行なう第２の受信手段とから構成されたことを特徴とする。
【００１４】
また、この発明のリーダライタは、上位装置に接続され、複数の非接触通信媒体と通信を行なうリーダライタにおいて、前記上位装置との接続、非接続を切換える切換手段と、この切換手段により非接続に切換えられた際、前記複数の非接触通信媒体に対して所定のコマンドを送信する着脱自在に設けられた送信アンテナを有する送信手段と、この送信手段により送信されたコマンドに対する前記複数の非接触通信媒体からの応答を受信する着脱自在に設けられた受信アンテナを有する受信手段と、この受信手段により前記複数の非接触通信媒体からの応答を受信した際、その応答数を計数する計数手段と、この計数手段で計数された応答数を報知する報知手段と、前記送信手段の送信アンテナ側に設けられ、かつ、前記送信手段の送信アンテナに接続され、当該通信用アンテナに接近する金属を検知する金属検知手段と、前記リーダライタ側に設けられ、前記非接触通信媒体からの応答を受信していないとき、前記受信手段により送信された信号に基づき前記非接触通信媒体からの応答信号以外の信号のノイズを検知するノイズ検知手段とを具備し、前記送信手段は、前記リーダライタ側に設けられ、前記非接触通信媒体へ送信する信号に対し前記送信アンテナのアンテナ特性等に直接関係しない信号変換処理を行なう第１の送信手段と、前記送信アンテナ側に設けられ、前記第１の送信手段から出力される信号に対し前記送信アンテナのアンテナ特性等に関連する信号変換処理を行ない、前記送信アンテナへ送る第２の送信手段とから構成され、前記受信手段は、前記受信アンテナ側に設けられ、前記受信アンテナにより受信された前記非接触通信媒体からの信号に対し前記送信アンテナのアンテナ特性等に関連する信号変換処理を行なう第１の受信手段と、前記リーダライタ側に設けられ、前記第１の受信手段から出力される受信された信号に対し前記送信アンテナのアンテナ特性等に直接関係しない信号変換処理を行なう第２の受信手段とから構成されたことを特徴とする。
【００１７】
【発明の実施の形態】
以下、この発明の一実施の形態について図面を参照して説明する。
【００１８】
図１は、この発明の第１実施例に係るリーダライタ１と無線通信媒体としてのタグ２の簡略化した全体のシステム構成を示すものである。図１においては、上位装置（パーソナルコンピュータ等）３があり、タグ２が１枚である場合（シングルモード）についての基本的な構成を示している。
【００１９】
リーダライタ１は、表示部１０、全体の制御を行う制御回路１１、変調回路１２、送信回路１３、送信アンテナ１４、受信アンテナ１５、受信回路１６、復調回路１７、メモリ１８、及びテストスイッチ１９とから構成されている。
【００２０】
タグ２は、アンテナ２１、電源回路２２、復調回路２３、制御回路２４、変調回路２５、及びメモリ２６とから構成されている。
【００２１】
まず、上位装置３からの信号が、非接触通信媒体用のリーダライタ１に送信されると、リーダライタ１は、内蔵された制御回路１１によって、タグ２と通信するためのデータを生成する。これらのデータは、変調回路１２で変調されて送信信号となり、送信回路１３に送られ増幅された後、送信アンテナ１４から送信電磁波として送信される。
【００２２】
タグ２が、送信アンテナ１４の通信エリア内に近づくと、アンテナ２１により送信アンテナ１４からの送信電磁波を受信する。受信された送信電磁波は、電源回路２２で整流平滑され、タグ２が動作するために必要な電力が生成される。また、アンテナ２１で受信された送信電磁波は、復調回路２３で復調された後、制御回路２４とメモリ２６とでデータ処理される。
【００２３】
このデータが処理された結果をリーダライタ１に送信する場合は、処理後のデータを変調回路２５で変調し、アンテナ２１から送信電磁波として送信する。
【００２４】
タグ２から送信された送信電磁波は、リーダライタ１において、受信アンテナ１５によって受信される。この受信アンテナ１５は、受信範囲を確保するため、直列に接続された複数の受信アンテナとする。一つの受信アンテナで通信範囲を確保できる場合は一つでも良い。この受信アンテナ１５で受信された受信電磁波は、受信回路１６により必要な信号を２値化した後、復調回路１３で復調され、制御回路１１及びメモリ１８でデータ処理される。その後、上位装置３に処理されたデータが送信される。
【００２５】
次に、この発明の第１実施例としてのテストモード動作を図２のフローチャートを参照して説明する。
【００２６】
まず、テストスイッチ１９が押された際（ＳＴ１）、リーダライタ１の制御回路１１は、テストモードを開始し（ＳＴ２）、上位装置３を必要とせずタグ２に対し、所定のコマンドを送信し続ける（ＳＴ３）。その後、上述した通信過程により正常にタグ２よりレスポンス（応答）が返信された際（ＳＴ４）、制御回路１１は、正常と判断し（ＳＴ５）、表示部１０の発光ダイオード（ＬＥＤ）を点灯する（ＳＴ６）。そしてテストモードが終了ならば（ＳＴ７）、制御回路１１は、テストモードを終了する。
【００２７】
次に第２実施例について説明する。
【００２８】
図３は、第２実施例に係るリーダライタ１と複数のタグ２との簡略化した全体のシステム構成を示すものである。図３においては、上位装置３があり、タグ２が複数である場合（マルチモード）についての基本的な構成を示している。なお、リーダライタ１は第１実施例と同様の構成であるので同一符号を付して説明を省略する。また、タグ２においても第１実施例と同様の構成であるので同一符号を付して説明を省略する。
【００２９】
まず、上位装置３からの信号が、リーダライタ１に送信されると、リーダライタ１は、内蔵された制御回路１１によって、複数のタグ２と通信するためのデータを生成する。これらのデータは、変調回路１２で変調されて送信信号となり、送信回路１３に送られ増幅された後、送信アンテナ１４から送信電磁波として送信される。
【００３０】
複数のタグ２が、送信アンテナ１４の通信エリア内に近づくと、アンテナ２１により送信アンテナ１４からの送信電磁波を受信する。受信された送信電磁波は、電源回路２２で整流平滑され、タグ２が動作するために必要な電力が生成される。また、アンテナ２１で受信された送信電磁波は、復調回路２３で復調された後、制御回路２４とメモリ２６とでデータ処理される。
【００３１】
このデータが処理された結果をリーダライタ１に送信する場合には、処理後のデータを変調回路２５で変調し、アンテナ２１から送信電磁波として送信する。
【００３２】
複数のタグ２から送信された送信電磁波は、リーダライタ１において、受信アンテナ１５によって受信される。この受信アンテナ１５は、受信範囲を確保するため、直列に接続された複数の受信アンテナとする。一つの受信アンテナで通信範囲を確保できる場合は一つでも良い。この受信アンテナ１５で受信された受信電磁波は、受信回路１６により必要な信号を２値化した後、復調回路１３で復調され、制御回路１１及びメモリ１８でデータ処理される。その後、上位装置３に処理されたデータが送信される。
【００３３】
次に、この発明の第2実施例としてのテストモード動作を図4のフローチャートを参照して説明する。
【００３４】
まず、テストスイッチ１９が押された際（ＳＴ１1）、リーダライタ１の制御回路１１は、テストモードを開始し（ＳＴ1２）、上位装置３を必要とせず複数のタグ２に対し、所定のコマンドを送信し続ける（ＳＴ１３）。その後、上述した通信過程により複数のタグ２から正常にレスポンス（応答）が返信された際（ＳＴ１４）、制御回路１１は、そのレスポンス数をカウントし（ＳＴ１５）、表示部１０にカウント数を表示する（ＳＴ１６）。そして、テストモードが終了ならば（ＳＴ１７）、制御回路１１はテストモードを終了する。
【００３５】
次に第３実施例について説明する。
【００３６】
第３実施例では、図１で示したリーダライタ１に他機能を追加したリーダライタ３０を用いる。
【００３７】
図５は、リーダライタ３０の概略構成を示すものである。リーダライタ３０は、電源ＡＣ１００Ｖに接続されたセパレートトランス３１、ＤＣ５Ｖ電源３２、送信電源部３３、ＲＳ−２３２Ｃの端子３４、 ＲＳ−２３２ＣとＲＳ−４８５とＣＭＯＳとの外部インターフェイス（Ｉ／Ｆ：第１の接続手段、第２の接続手段）３５、全体の制御を行うＣＰＵ３６、ＰＲＯＭ３７、ＳＲＡＭ３８、変復調回路３９、後述するアンテナ部に設けられた送信回路と機能を１／２にした送信回路（第１の送信手段）４０、後述するアンテナ部に設けられた受信回路と機能を１／２にした受信回路（第２の受信手段）４１、発光ダイオード（ＬＥＤ）４２、テストモード回路４４に接続させるスイッチ４３、機能設定回路４６に接続させるディップスイッチ４５、ノードアドレス回路４８に接続させるロータリスイッチ４７、ノイズ出力回路５０と金属接近出力回路５１が接続された端子台４９、及びアンテナ部６０とから構成されている。
【００３８】
図６は、アンテナ部６０の概略構成を示すものである。アンテナ部６０は、リーダライタ３０と接続するためのアンテナコネクタ６１、金属接近検出回路６２、後述する送信コイルに対応した送信回路（第２の送信手段）６３、後述する受信コイルに対応した受信回路（第１の受信手段）６４、ブザー６５、アクセスを表示する発光ダイオード６６、電源／モードを表示する発光ダイオード６７、複数種類の送信コイル６８、及び複数種類の受信コイル６９とから構成されている。
【００３９】
従来は、アンテナの種類に応じて変更する回路がリーダライタに含まれているので、アンテナが変わるとリーダライタの送受信回路に変更が発生していた。そこで、本実施例では、送受信回路をリーダライタ３０とアンテナ部６０とで図５，６に示すように分け、アンテナを変更した場合、これに連動して変更されるアンテナ特性等に関連する送受信回路の一部分（送信回路６３、受信回路６４）をアンテナ６０側に移している。そして、リーダライタ側には、アンテナ特性に直接関係しない変換処理（特にデジタル変換処理）に関する送受信回路のみが設けられている。これにより、大きさや形の異なるアンテナを取り付けた際にもリーダライタ３０側の送信回路４０と受信回路４１の回路変更をなくすことができる。
【００４０】
次に、ノイズ検知について説明する。
【００４１】
ノイズ検知は、アンテナ部６０から送信電磁波を出した状態で、タグ２からの応答を受信していない時にリーダライタ３０の受信回路４１からの信号を観測することにより、空間ノイズや電源からのるノイズ等が分かる。本実施例では、ノイズ出力回路５０が接続された端子台４９を設けて、受信回路４１からの信号を図示しない電圧メータにて測定できるようにした。そして、ノイズ量が規定値より多い場合には、発光ダイオード４２，６６を点灯させたり、ブザー６５を鳴らす等のように警報を発することも可能である。また、リーダライタ３０にＡ／Ｄコンバータを搭載し、上位装置３からの命令に応じて検出結果を上位装置３へ通信することも可能である。
【００４２】
次に、金属接近について説明する。
【００４３】
金属接近検知回路６２は、アンテナ部６０側に設けられ、金属がアンテナ部６０に接近した場合にアンテナ電流が増加することを利用し、金属接近を検知する。本実施例では、金属接近検知回路６２からの金属接近出力回路５１が接続された端子台４９を設けて、図示しない電圧メータにて測定できるようにした。そして、金属接近検知電圧が規定値より高い場合には、発光ダイオード４２，６６を点灯させたり、ブザー６５を鳴らす等のように警報を発することも可能である。また、リーダライタ３０にＡ／Ｄコンバータを搭載し、上位装置３からの命令に応じて検出結果を上位装置３へ通信することも可能である。
【００４４】
次に、上位装置３への複数のリーダライタ３０の接続について説明する。
【００４５】
リーダライタ３０は、上位装置３とのインターフェイスを外部インターフェイス３５を介したＲＳ−２３２Ｃ等の１：１の接続だけでなく、ＲＳ−４８５等にすることにより、上位装置３の１台に対して複数台のリーダライタ３０の接続を可能としている。
【００４６】
図７は、上位装置３への複数のリーダライタ３０の接続例を示すものである。上位装置３には、変換ボード７０を介してＲＳ−４８５でリーダライタ（１）３０とアンテナ部（１）６０が接続され、さらにリーダライタ（１）にはリーダライタ（２）３０とアンテナ部（２）が接続され、さらにリーダライタ（２）３０には、…リーダライタ（ｎ）とアンテナ部（ｎ）が接続されている。このように、上位装置３は、ＲＳ−２３２ＣのインターフェイスであるためＲＳ−２３２Ｃ／ＲＳ−４８５の変換ボード７０を接続して複数のリーダライタ３０に接続する。そして、各リーダライタ３０に各アンテナ部６０を接続する。
【００４７】
なお、本実施例では、上述した構成としたが、リーダライタ３０の中にＲＳ−２３２Ｃ／ＲＳ−４８５変換ボードを含めることも可能である。この時、各リーダライタ３０にアドレスを設定することにより、上位装置３からの信号に対して１台のみが返答するようにして信号の衝突を避けている。
【００４８】
次に、シーケンサ等の外部との接続について説明する。
【００４９】
リーダライタ３０は、シーケンサ等外部からの制御信号により、ある一定期間毎にタグ２との通信を行うよう制御する機能を持っている。
【００５０】
図８は、シーケンサ等の外部装置が接続された場合の構成を示すものである。アンテナ部６０を有するリーダライタ３０には、上位装置３が接続されると共に外部装置（シーケンサ）８０が接続されている。
【００５１】
次に、外部装置からの制御信号による動作を図９のタイミングチャートを参照して説明する。
【００５２】
外部装置８０から外部制御入力がなされた際、リーダライタ３０は、キャリア状態がオンになり、アンテナ部６０を介してタグ２に信号を出力する。その後、リーダライタ３０は、アンテナ部６０を介してタグ２からのデータを受信した際、外部装置８０に外部制御出力として正常受信した旨を知らせる。そして、リーダライタ３０は、上位装置３に受信データ等を送信する。これをある一定期間繰り返す。これにより、タグ２からのデータを受信できず、待機状態が続いていた場合でも、一定期間後には外部制御入力により再度リーダライタ３０はキャリアを出力し、通信を始めることが可能となる。
【００５３】
以上説明したように上記発明の実施の形態によれば、上位装置（ＰＣ等）もしくはアダプタ等を接続すること無しに、リーダライタとタグ（非接触通信媒体）間で通信確認を行うため、リーダライタ単独での動作確認ができる。そのため、不具合がおきた場合、上位装置が原因なのかリーダライタが原因なのかを明確にすることができる。
【００５４】
また、アンテナの種類に応じて変更する送受信回路がアンテナに含まれているため、アンテナが変わってもリーダライタの回路変更をする必要がなくなる。
【００５５】
また、ノイズ検知や金属接近検知などの周囲環境を検知する機能を追加することにより、最適な使用環境が明確になって本来の通信機能を発揮することができる。
【００５６】
上位装置とのインターフェイスがＲＳ−２３２Ｃ等の１：１の接続のみならず、ＲＳ−４８５での接続も可能なため、上位装置１台に対して複数台のリーダライタの接続が出来る。
【００５７】
また、複数のリーダライタが同時にそれぞれのタグ（非接触通信媒体）に対してコマンドを送信しないため、混信などが軽減される。
【００５８】
シーケンサなどの外部装置からの制御信号により、ある一定の期間、タグ（非接触通信媒体）との通信を行う機能で、異常なタグ（非接触通信媒体）の認識が可能である。
【００５９】
【発明の効果】
以上詳述したようにこの発明によれば、不具合の生じた場合の原因を明確にでき、アンテナによる回路変更を回避し、最適な使用環境を明確にし、さらに上位装置１台に対して複数台のリーダライタとの接続を可能とし、異常な非接触通信媒体の認識を可能としたリーダライタを提供することができる。
【図面の簡単な説明】
【図１】この発明の第１実施例に係るリーダライタとタグの簡略化した全体の構成を示すブロック図。
【図２】第１実施例のテストモードの動作を説明するためのフローチャート。
【図３】この発明の第２実施例に係るリーダライタとタグの簡略化した全体の構成を示すブロック図。
【図４】第２実施例のテストモードの動作を説明するためのフローチャート。
【図５】第３実施例のリーダライタの概略構成を示す図。
【図６】第３実施例のアンテナ部の概略構成を示す図。
【図７】上位装置への複数のリーダライタの接続例を示す図。
【図８】シーケンサ等の外部装置が接続された場合の構成を示す図。
【図９】外部装置からの制御信号による動作を説明するためのタイミングチャート。
【符号の説明】
１、３０…リーダライタ
２…タグ
３…上位装置
１０…表示部（表示手段）
１１…制御回路（送信手段、判断手段、計数手段）
１２…変調回路
１３…送信回路
１４…受信アンテナ
１５…送信アンテナ
１６…受信回路
１７…復調回路
１８…メモリ
１９…テストスイッチ（切替手段）
６０…アンテナ部
６２…金属接近検出回路（検知手段）
【図１】
0004460683.tif 000002
【図２】
0004460683.tif 000003
【図３】
0004460683.tif 000004
【図４】
0004460683.tif 000005
【図５】
0004460683.tif 000006
【図６】
0004460683.tif 000007
【図７】
0004460683.tif 000008
【図８】
0004460683.tif 000009
【図９】
0004460683.tif 000010